(57)【特許請求の範囲】
【請求項１】
コンピュータネットワークを通じて接続された端末の間においてリアルタイムなコミュニケーションを実現するコンピュータプログラムを利用する広告配信装置であって、
前記コミュニケーション中に一方のユーザの端末が取得した画像を、前記コンピュータネットワークを介して受信する画像受信手段と、
前記画像受信手段が受信した画像を分析して前記画像の特徴を捉える特徴取得手段と、
前記特徴取得手段が捉えた画像の特徴に基づいてキーワードを抽出する抽出手段と、
前記抽出手段が抽出したキーワードに基づいて、広告に関するデータを取得する広告取得手段と、
他方のユーザの端末が前記他方のユーザによる前記広告に関する所定の操作を受付けたことを示すデータを前記コンピュータネットワークを介して受信する操作受信手段と、
前記一方のユーザの端末が取得した前記画像及び前記広告取得手段が取得した前記広告に関するデータを、前記他方のユーザの端末に、前記コンピュータネットワークを介して送信し、前記所定の操作を受付けたことを示すデータを受信したことに応じて、前記一方のユーザの端末に、前記広告に関するデータを、前記コンピュータネットワークを介して送信する広告送信手段と、を備える広告配信装置。
【請求項２】
請求項１に記載の広告配信装置であって、
前記画像受信手段は、前記コミュニケーション中に前記一方のユーザの肖像を含む前記画像を、前記コンピュータネットワークを介して受信する広告配信装置。
【請求項３】
請求項１又は２に記載の広告配信装置であって、
前記操作受信手段は、前記他方のユーザの端末が前記他方のユーザによる前記広告に関するテキストメッセージの入力の操作を受付けたことを示すデータを前記コンピュータネットワークを介して受信し、
前記広告送信手段は、前記テキストメッセージの入力の操作を受付けたことを示すデータを受信したことに応じて、前記一方のユーザの端末に、前記テキストメッセージのデータを挿入した前記広告に関するデータを、前記コンピュータネットワークを介して送信する広告配信装置。
【請求項４】
コンピュータネットワークを通じて接続された端末の間においてリアルタイムなコミュニケーションを実現するサーバを含む広告配信システムであって、
一方のユーザの端末は、
前記コミュニケーション中に画像を取得し、取得した画像を前記サーバに送信する画像送信手段を備え、
前記サーバは、
前記画像送信手段が送信した、前記一方のユーザの端末が取得した前記画像を、前記コンピュータネットワークを介して受信する画像受信手段と、
前記画像受信手段が受信した画像を分析して前記画像の特徴を捉える特徴取得手段と、
前記特徴取得手段が捉えた画像の特徴に基づいてキーワードを抽出する抽出手段と、
前記抽出手段が抽出したキーワードに基づいて、広告に関するデータを取得する広告取得手段と、
他方のユーザの端末が前記他方のユーザによる前記広告に関する所定の操作を受付けたことを示すデータを前記コンピュータネットワークを介して受信する操作受信手段と、
前記一方のユーザの端末が取得した前記画像及び前記広告取得手段が取得した前記広告に関するデータを、前記他方のユーザの端末に、前記コンピュータネットワークを介して送信し、前記所定の操作を受付けたことを示すデータを受信したことに応じて、前記一方のユーザの端末に、前記広告に関するデータを、前記コンピュータネットワークを介して送信する広告送信手段と、を備え、
前記他方のユーザの端末は、
前記広告送信手段が送信した前記一方のユーザの端末が取得した前記画像及び前記広告取得手段が取得した前記広告に関するデータを受信する広告受信手段と、
前記広告受信手段が受信した前記画像及び広告に関するデータを表示する広告表示手段と、を備える広告配信システム。
【請求項５】
コンピュータネットワークを通じて接続された端末の間において、広告配信装置が、リアルタイムなコミュニケーションを実現するコンピュータプログラムを利用する広告配信方法であって、
前記コミュニケーション中に一方のユーザの端末が取得した画像を、前記コンピュータネットワークを介して受信する画像受信ステップと、
前記画像受信ステップにおいて受信した画像を分析して前記画像の特徴を捉える特徴取得ステップと、
前記特徴取得ステップにおいて捉えた画像の特徴に基づいてキーワードを抽出する抽出ステップと、
前記抽出ステップにおいて抽出したキーワードに基づいて、広告に関するデータを取得する広告取得ステップと、
他方のユーザの端末が前記他方のユーザによる前記広告に関する所定の操作を受付けたことを示すデータを前記コンピュータネットワークを介して受信する操作受信ステップと、
前記一方のユーザの端末が取得した前記画像及び前記広告取得ステップにおいて取得した前記広告に関するデータを、前記他方のユーザの端末に、前記コンピュータネットワークを介して送信し、前記所定の操作を受付けたことを示すデータを受信したことに応じて、前記一方のユーザの端末に、前記広告に関するデータを、前記コンピュータネットワークを介して送信する広告送信ステップと、を備える広告配信方法。
【発明の詳細な説明】
【技術分野】
【０００１】
本発明は、広告配信装置、システム及び方法に関する。特に、コンピュータネットワークを利用した広告配信に関する。
【背景技術】
【０００２】
従来より、世間に広く知らせるためにスポンサー名を明らかにして行なわれる商業的な広告において、テレビを媒体としたテレビ広告、新聞・雑誌を媒体とした新聞・雑誌広告などがある。近年、多くの人が使用するコンピュータネットワーク（例えば、インターネット）を媒体とした広告が急速に普及している。
【０００３】
コンピュータネットワーク（例えば、インターネット）はインタラクティブなメディアなので、目的を持って使っているユーザに、その目的に適合した広告を提示できれば宣伝の効果が高い。更に、その広告に興味を喚起できれば、リンク先のページにおいて、通常の広告では伝えきれない詳細な情報を伝えることができる。
【０００４】
このようなコンピュータネットワークの長所を利用した広告として、例えば、インターネットのウェブページに表示されるバナー広告、電子メールによって配信される電子メール広告、ユーザが入力したキーワードに対応した広告を表示する検索連動型広告などがある。更に、ユーザの状況に対応した広告を提供することを目的とした、特許文献１のような装置が知られている。この装置では、状況情報と広告メッセージとを対応付けたデータベースを備え、カメラで撮影した画像情報を取得し、取得した画像情報という状況情報に基づいて広告をモニターに出力することにより、現在発生している状況に対応した広告メッセージを提示することができる。
【特許文献１】特表２００７−５２０７３６号公報
【発明の開示】
【発明が解決しようとする課題】
【０００５】
しかしながら、特許文献１のような装置は、単にカメラに捉えられたユーザ本人に対して、捉えたユーザ本人に係る画像に関連する広告を送信することに限定され、互いに遠隔地にいる複数のユーザがコミュニケーションしている最中に、互いに相手方に係る画像に関連する広告を送信する技術については、何ら開示されていない。
【０００６】
一方、コンピュータネットワーク（例えば、インターネット）はリアルタイムなコミュニケーションの場でもあり、互いに遠隔地にいる複数のユーザ間でリアルタイムに短いメッセージをやりとりすることにより手軽に会話を楽しむことができるコンピュータプログラムなど（例えば、チャットやメッセンジャーなど）がある。このようなコミュニケーションの場に広告を提示できれば有効な宣伝ができる可能性がある。そこで、コンピュータネットワークで行われるコミュニケーションを利用し、互いに相手方に係る画像に関連する広告を送信することができる装置が求められている。
【０００７】
本発明は、互いに遠隔地にいる複数のユーザ間でコンピュータネットワークを通じて行われるリアルタイムなコミュニケーションを利用して互いに相手方に係る画像に関連する広告を送信することができる装置を提供することを目的とする。
【課題を解決するための手段】
【０００８】
本発明では、以下のような解決手段を提供する。
【０００９】
（１）  コンピュータネットワークを通じて接続された端末の間においてリアルタイムなコミュニケーションを実現するコンピュータプログラムを利用する広告配信装置であって、前記コミュニケーション中に一方のユーザの端末が取得した前記一方のユーザの肖像を含む画像を、前記コンピュータネットワークを介して受信する画像受信手段と、前記画像受信手段が受信した画像を分析して前記画像の特徴を捉える特徴取得手段と、前記特徴取得手段が捉えた画像の特徴に基づいてキーワードを抽出する抽出手段と、前記抽出手段が抽出したキーワードに基づいて、広告に関するデータを取得する広告取得手段と、前記一方のユーザの端末が取得した前記一方のユーザの肖像を含む画像及び前記広告取得手段が取得した前記広告に関するデータを、他方のユーザの端末に、前記コンピュータネットワークを介して送信する広告送信手段と、を備えることを特徴とする広告配信装置。
【００１０】
（１）の構成によれば、広告配信装置は、コンピュータネットワークを介して、一方のユーザの肖像を含む画像を受信し、受信した画像を分析して画像の特徴を捉え、捉えた画像の特徴に基づいてキーワードを抽出し、抽出したキーワードに基づいて広告に関するデータを取得する。そして、一方のユーザの肖像を含む画像及び取得した広告に関するデータを、他方のユーザの端末に、コンピュータネットワークを介して送信する。よって、一方の端末が取得したその一方のユーザの肖像を含む画像に基づいた広告を他方の端末に送信することができる。
【００１１】
すなわち、広告配信装置は、コンピュータネットワークを介して行われるリアルタイムなコミュニケーション中に、一方のユーザの肖像を含む画像に関する広告を他方のユーザの端末に送信するので、他方のユーザは、一方のユーザの肖像を含む画像に基づいた広告の品を一方のユーザであるコミュニケーションの相手へのプレゼントとしたり、広告を話題の展開に役立てたりすることができる。したがって、広告がタイムリーに利用され、広告配信装置は、互いに遠隔地にいる複数のユーザ間でコンピュータネットワークを通じて行われるリアルタイムなコミュニケーションを利用して効率のよい広告を行うことができる。
【００１２】
なお、広告配信装置が受信する画像は、動画データを含みうる。この場合、広告配信装置は、受信した動画を所定の間隔ごと、或いは、動きがあった場合など、繰り返しキャプチャリングし、静止画を抽出してもよい。或いは、動画を構成する一連のフレーム全体を分析して動画像の特徴を分析してもよい。このように、広告配信装置は、受信する画像により、最適な分析対象画像を、静止画に限らず、動画、抽出したフレームなどを適宜選択してよい。
【００１３】
（２）  （１）に記載の広告配信装置であって、前記他方のユーザの端末が前記他方のユーザによる前記広告に関する所定の操作を受付けたことを示すデータを前記コンピュータネットワークを介して受信する操作受信手段を更に備え、前記広告送信手段は、前記所定の操作を受付けたことを示すデータを受信したことに応じて、前記一方のユーザの端末に、前記広告に関するデータを、前記コンピュータネットワークを介して送信することを特徴とする広告配信装置。
【００１４】
（２）の構成によれば、広告配信装置は、他方のユーザによる広告に関する所定の操作を受付けたことを示すデータを受信したことに応じて、一方のユーザの端末に、受信した広告に関するデータを送信する。
【００１５】
すなわち、コンピュータネットワークを介して行われるリアルタイムなコミュニケーション中に、一方のユーザの肖像を含む画像に関する広告を他方のユーザの端末に送信することに加えて、他方のユーザが、表示された広告に関して所定の操作を行ったことに応じて、その広告を一方のユーザの端末に送信することもできる。なお、所定の操作とは、広告を選択する操作、広告の転送を指示する操作、広告の共有を指示する操作など様々な操作が該当してよい。
【００１６】
その結果、他方のユーザが興味を持った広告を一方のユーザも閲覧することが可能となり、両者のコミュニケーションを更に盛り上げることができる。更に、広告がタイムリーに利用される可能性も高くなる。このように、互いに遠隔地にいる複数のユーザ間でコンピュータネットワークを通じて行われるリアルタイムなコミュニケーションを利用して効率のよい広告を行うことができる。
【００１７】
（３）  （２）に記載の広告配信装置であって、前記操作受信手段は、前記他方のユーザの端末が前記他方のユーザによる前記広告に関するテキストメッセージの入力の操作を受付けたことを示すデータを前記コンピュータネットワークを介して受信し、前記広告送信手段は、前記テキストメッセージの入力の操作を受付けたことを示すデータを受信したことに応じて、前記一方のユーザの端末に、前記テキストメッセージのデータを挿入した前記広告に関するデータを、前記コンピュータネットワークを介して送信することを特徴とする広告配信装置。
【００１８】
すなわち、コンピュータネットワークを介して行われるリアルタイムなコミュニケーション中に、一方の端末が取得した画像に関する広告を他方の端末のユーザに送信することに加えて、他方の端末のユーザが、表示された広告に関してテキストメッセージの入力の操作を行ったことに応じて、テキストメッセージのデータを挿入した広告を一方の端末のユーザに送信することもできる。よって、メッセージを伴って、広告がタイムリーに利用される。したがって、互いに遠隔地にいる複数のユーザ間でコンピュータネットワークを通じて行われるリアルタイムなコミュニケーションを利用して効率のよい広告を行うことができる。
【００１９】
（４）  コンピュータネットワークを通じて接続された端末の間においてリアルタイムなコミュニケーションを実現するサーバを含む広告配信システムであって、一方のユーザの端末は、前記コミュニケーション中に前記一方のユーザの肖像を含む画像を取得し、取得した画像を前記サーバに送信する画像送信手段を備え、前記サーバは、前記画像送信手段が送信した、前記一方のユーザの端末が取得した前記一方のユーザの肖像を含む画像を、前記コンピュータネットワークを介して受信する画像受信手段と、前記画像受信手段が受信した画像を分析して前記画像の特徴を捉える特徴取得手段と、前記特徴取得手段が捉えた画像の特徴に基づいてキーワードを抽出する抽出手段と、前記抽出手段が抽出したキーワードに基づいて、広告に関するデータを取得する広告取得手段と、前記一方のユーザの端末が取得した前記一方のユーザの肖像を含む画像及び前記広告取得手段が取得した前記広告に関するデータを、他方のユーザの端末に、前記コンピュータネットワークを介して送信する広告送信手段と、を備え、他方のユーザの端末は、前記広告送信手段が送信した前記一方のユーザの端末が取得した前記一方のユーザの肖像を含む画像及び前記広告取得手段が取得した前記広告に関するデータを受信する広告受信手段と、前記広告受信手段が受信した前記一方のユーザの肖像を含む画像及び広告に関するデータを表示する広告表示手段と、を備えることを特徴とする広告配信システム。
【００２０】
（４）の構成によれば、端末の間においてリアルタイムなコミュニケーションを実現するサーバを含む広告配信システムであって、一方のユーザの端末は、コミュニケーション中にその一方のユーザの肖像を含む画像を取得し、取得した画像をサーバに送信する。サーバは、一方のユーザの端末が取得したその一方のユーザの肖像を含む画像を受信し、受信した画像を分析して画像の特徴を捉え、捉えた画像の特徴に基づいてキーワードを抽出し、抽出したキーワードに基づいて、広告に関するデータを取得し、一方のユーザの端末が取得したその一方のユーザの肖像を含む画像及び取得した広告に関するデータを、他方のユーザの端末に、送信する。そして、他方のユーザの端末は、一方のユーザの肖像を含む画像及びサーバが取得した広告に関するデータを受信し、受信した一方のユーザの肖像を含む画像及び広告に関するデータを表示する。すなわち、広告配信システムは、コンピュータネットワークを介して行われるリアルタイムなコミュニケーション中に、一方のユーザの肖像を含む画像に関する広告を他方のユーザの端末に送信することができる。その結果、一方のユーザの肖像を含む画像に関する広告を取得することが可能となり、両者のコミュニケーションを盛り上げることができる。更に、広告がタイムリーに利用される可能性も高くなる。このように、互いに遠隔地にいる複数のユーザ間でコンピュータネットワークを通じて行われるリアルタイムなコミュニケーションを利用して効率のよい広告を行うことができる。
【００２１】
（５）  コンピュータネットワークを通じて接続された端末の間において、広告配信装置が、リアルタイムなコミュニケーションを実現するコンピュータプログラムを利用する広告配信方法であって、前記コミュニケーション中に一方のユーザの端末が取得した前記一方のユーザの肖像を含む画像を、前記コンピュータネットワークを介して受信する画像受信ステップと、前記画像受信ステップにおいて受信した画像を分析して前記画像の特徴を捉える特徴取得ステップと、前記特徴取得ステップにおいて捉えた画像の特徴に基づいてキーワードを抽出する抽出ステップと、前記抽出ステップにおいて抽出したキーワードに基づいて、広告に関するデータを取得する広告取得ステップと、前記一方のユーザの端末が取得した前記一方のユーザの肖像を含む画像及び前記広告取得ステップにおいて取得した前記広告に関するデータを、他方のユーザの端末に、前記コンピュータネットワークを介して送信する広告送信ステップと、を備えることを特徴とする広告配信方法。
【００２２】
（５）の方法によれば、コンピュータネットワークを介して、広告配信装置が、一方のユーザの端末が取得したその一方のユーザの肖像を含む画像を受信し、受信した画像を分析して画像の特徴を捉え、捉えた画像の特徴に基づいてキーワードを抽出し、抽出したキーワードに基づいて広告に関するデータを取得し、一方のユーザの端末が取得したその一方のユーザの肖像を含む画像及び広告配信装置が取得した広告に関するデータを、他方のユーザの端末に、コンピュータネットワークを介して送信する。よって、一方のユーザの端末が取得したその一方のユーザの肖像を含む画像に関する広告を他方のユーザの端末に送信することができる。
【００２３】
すなわち、広告配信方法は、コンピュータネットワークを介して行われるリアルタイムなコミュニケーション中に、一方のユーザの端末が取得したその一方のユーザの肖像を含む画像に関する広告を他方のユーザの端末に送信するので、ユーザは、広告の品をコミュニケーションの相手へのプレゼントとしたり、広告を話題の展開に役立てたりすることができる。したがって、広告がタイムリーに利用され、広告配信方法は、互いに遠隔地にいる複数のユーザ間でコンピュータネットワークを通じて行われるリアルタイムなコミュニケーションを利用して効率のよい広告を行うことができる。
【発明の効果】
【００２４】
本発明によれば、互いに遠隔地にいる複数のユーザ間でコンピュータネットワークを通じて行われるリアルタイムなコミュニケーションを利用して互いに相手方に係る画像に関連する広告を送信することができる装置を提供することができる。
【００２５】
また、本発明によれば、リアルタイムなコミュニケーション中に、広告がタイムリーに利用され、関心のある広告が互いに伝えられるという効率のよい広告を行うことができる。更に、タイミングの合った広告を配信することができるので、会話をアシストすることができ、コミュニケーションの展開にも役立ち、コミュニケーションの増加に繋がるので、更に広告を配信する機会の増加にも繋がる。
【発明を実施するための最良の形態】
【００２６】
［実施例１］
以下、本発明の実施例１について図を参照しながら説明する。実施例１において、サーバとしての広告配信装置１０は、一方のユーザの端末が取得した一方のユーザの肖像を含む画像を受信する画像受信手段として画像受信部１１と、受信した画像を分析して画像の特徴を捉える特徴取得手段として特徴取得部１２と、取得した画像の特徴に基づいてキーワードを抽出する抽出手段としてキーワード抽出部１３と、抽出したキーワードに基づいて広告に関するデータを取得する広告取得手段として広告取得部１４と、一方のユーザの肖像を含む画像及び広告に関するデータを他方のユーザの端末に送信する広告送信手段として広告送信部１５と、を備えている。ユーザの端末６０ａ、６０ｂは、それぞれ表示装置６１ａ、６１ｂ及び撮影装置５０ａ、５０ｂを備え、コミュニケーションサーバ３０を利用する広告配信装置１０のもとで、互いにユーザの肖像を含む画像及び広告を送受信しリアルタイムなコミュニケーションを行う。なお、撮影装置５０ａ、５０ｂは、例えば、Ｗｅｂカメラ、デジタルカメラ、デジタルビデオカメラなどである。ユーザの端末は、Ｗｅｂカメラからインターフェースを介して受信するユーザの肖像を含む画像を広告配信装置１０に送信する。また、ユーザの端末は、ユーザの操作を受付けてデジタルカメラ、デジタルビデオカメラなどからインターフェースを介して受信するユーザの肖像を含む画像を広告配信装置１０に送信する。
【００２７】
図１は、本実施形態に係る広告配信装置１０の機能を構成する構成部と、構成部が処理するデータとの関連を示す図である。
【００２８】
画像受信部１１は、一方のユーザの端末６０ａ、６０ｂが取得したそのユーザの肖像を含む画像データや、テキストデータなどをコンピュータネットワーク７０を介して受信する。なお、受信した画像データは動画データを含んでよく、動画データの場合には、一定の時間間隔でキャプチャリングを行ったり、動きがあるたびに静止画を抽出したりしてもよく、それぞれの画像において、ユーザの肖像を含む画像データを取得する。例えば、より好適には、普段は動画像に含まれるユーザの肖像を含む画像データを取得し、ユーザが着替えたり、帽子をかぶったり、被写体が交代したり、といった動きがあった場合に特にその変化した部分にウェイトを掛けて特徴を抽出してもよい。
【００２９】
特徴取得部１２は、画像受信部１１が取得したユーザの肖像を含む画像データから画像データの特徴を捉える。例えば、画像データの特徴を捉えるために、ユーザの肖像を含む画像データを分析するための分析項目を設けている。そして、分析項目についてユーザの肖像を含む画像を分析し、特徴を捉える際の確からしさの度合である判別度とともに特徴に関する情報を作成する。
【００３０】
例えば、分析項目として、背景と前景とその他とに分ける。背景の分析項目として、色
などがある。前景の分析項目として、人と人に付属する部分とその他に分ける。人について、髪、顔などの項目がある。人に付属する部分として、服、その他の付属する部分などの項目がある。その他として、動くものがあるか否かなどがあり、それぞれについて色などの項目がある（図４の特徴分析テーブルを参照）。
【００３１】
キーワード抽出部１３は、特徴取得部１２が捉えた特徴に関する情報に基づいてキーワードを抽出する。
【００３２】
例えば、ユーザの肖像を含む画像の特徴が、「顔」について、笑っている、判別度５０％、「服」について、黄色、判別度９０％、「人に付属する部分」について、腕時計、判別度３０％である場合には、「服、黄色」及び「顔、笑い」をキーワードとして抽出する。抽出するキーワードは、所定の条件として、例えば、判別度が５０％以上であることなどの条件を設けている（図５の抽出条件テーブル参照）。
【００３３】
広告取得部１４は、キーワード抽出部１３が抽出したキーワードに基づき、広告サーバ４０との間で予め定められているユーザインターフェースに従い、キーワードを広告サーバ４０に送信することにより、広告サーバ４０に問合せを行う。キーワードは、複数を送信することが可能であり、複数のキーワードには優先順位を設けることができる。広告サーバ４０は、優先順位に従い、問合せられたキーワードとの関連性が最も高い広告データを問合せ結果として送信する。送信する広告が、複数ある場合は、所定の件数（例えば、１０件）の広告を送信する。
【００３４】
広告送信部１５は、一方のユーザの端末６０ａが取得したそのユーザの肖像を含む画像及び広告取得部１４が取得した広告に関するデータを、他方のユーザの端末６０ｂに、コンピュータネットワーク７０を介して送信する。
【００３５】
図２は、本実施形態に係る広告配信装置１０の動作環境を示す図である。本発明の一実施例である広告配信装置１０が、コンピュータネットワーク７０（インターネット、ＬＡＮ、ＷＡＮなど）を介して端末６０ａ、６０ｂと互いに接続され、コミュニケーションサーバ３０及び広告サーバ４０ともそれぞれ接続されている例を示している。
【００３６】
コミュニケーションサーバ３０は、コンピュータネットワーク７０を通じて接続されたユーザの端末６０ａ、６０ｂの間において、リアルタイムなコミュニケーションを実現する。広告配信装置１０は、そのリアルタイムなコミュニケーションを実現するコンピュータプログラムを利用する。そして、広告配信装置１０は、一方のユーザの端末６０ａからその一方のユーザの肖像を含む画像を、コンピュータネットワーク７０を介して受信し、一方のユーザの肖像を含む画像データ分析して画像の特徴を捉え、捉えた特徴に基づいてキーワードを抽出し、抽出したキーワードに基づいて広告サーバ４０から広告を取得し、取得した広告を他方のユーザの端末６０ｂに送信する。送信された広告を受信した他方のユーザの端末６０ｂは、受信した一方のユーザの肖像を含む画像及び広告配信装置１０が送信した広告を表示する。
【００３７】
更に、広告配信装置１０は、他方のユーザの端末６０ｂがその他方のユーザによる広告に関する所定の操作を受付けたことを示すデータをコンピュータネットワーク７０を介して受信したことに応じて、一方のユーザの端末６０ａに、広告に関するデータをコンピュータネットワーク７０を介して送信する。すなわち、広告配信装置１０は、他方のユーザの端末６０ｂが、例えば、広告を選択する操作、広告の転送を指示する操作、又は広告の共有を指示する操作などを、その他方のユーザから受付けたことを示すデータを受信したことに応じて、一方のユーザの端末６０ａに、例えば、他方のユーザが選択した広告のデータ、転送を指示した広告のデータ、又は共有を指示した広告のデータなどをコンピュータネットワーク７０を介して送信する。
【００３８】
また、広告配信装置１０は、他方のユーザの端末６０ｂがその他方のユーザによる広告に関するテキストメッセージの入力の操作を受付けたことを示すデータをコンピュータネットワーク７０を介して受信し、受信したことに応じて、一方のユーザの端末６０ａに、テキストメッセージのデータを挿入した広告に関するデータを、コンピュータネットワーク７０を介して送信する。
【００３９】
図３は、本実施形態に係る広告配信装置１０のハードウェア構成の一例を示す図である。広告配信装置１０は、ＣＰＵ（Ｃｅｎｔｒａｌ  Ｐｒｏｃｅｓｓｉｎｇ  Ｕｎｉｔ）１０１０（マルチプロセッサ構成ではＣＰＵ＿Ａ１０１２など複数のＣＰＵが追加されてもよい）、バスライン１００５、コンピュータネットワーク用通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ハードディスク１０７０、通信Ｉ／Ｆ１０８０並びにキーボード及びマウス１１００などの入力手段や表示装置１０２２を備える。
【００４０】
ＢＩＯＳ１０６０は、広告配信装置１０の起動時にＣＰＵ１０１０が実行するブートプログラムや、ハードウェアに依存するプログラムなどを格納する。
【００４１】
ハードディスク１０７０は、広告配信装置１０が機能するための各種プログラム及び本発明の機能を実行するプログラムを記憶しており、更に必要に応じて各種データベースを構成可能である。
【００４２】
表示装置１０２２は、データの入力を受付ける画面を表示したりするものであり、ブラウン管表示装置（ＣＲＴ）、液晶表示装置（ＬＣＤ）などのディスプレイ装置を含む。
【００４３】
ここで、入力手段は、入力の受付けを行うものであり、キーボード及びマウス１１００などにより構成する。
【００４４】
また、コンピュータネットワーク用通信Ｉ／Ｆ１０４０は、広告配信装置１０を専用ネットワーク又は公共ネットワークを介してユーザの端末６０ａ、６０ｂ、コミュニケーションサーバ３０及び広告サーバ４０などと接続できるようにするためのネットワーク・アダプタである。すなわち、一方のユーザの端末６０ａが取得したその一方のユーザの肖像を含む画像を受信し、一方のユーザの端末６０ａが取得したその一方のユーザの肖像を含む画像及び広告配信装置１０が取得した広告に関するデータを、他方のユーザの端末６０ｂに送信する。通信Ｉ／Ｆ１０８０は、コンピュータネットワーク７０を介さないでデータを送受信するためのインターフェース装置である。
【００４５】
図４は、本実施形態に係る特徴分析テーブルを示す図である。特徴取得部１２が、ユーザの肖像を含む画像を分析して画像の特徴を捉える際に用いるテーブルである。特徴分析テーブルは、ユーザの肖像を含む画像から特徴を取得するための分析項目と、分析項目に基づいてユーザの肖像を含む画像を分析した内容を記憶する分析内容と、その分析した内容の確からしさについての判別度とを備えている。
【００４６】
分析項目は、例えば、背景と前景とその他との大項目を備えている。背景の大項目には、例えば、色などを備えている。前景の大項目には、人と、人に付属する部分と、その他の中項目を備えている。中項目の人は、髪、顔、体格などの小項目を備え、それぞれについて色などの項目を備えている。中項目の人に付属する部分は、服、その他の付属する部分などの小項目を備え、それぞれについて色などの項目を備えている。大項目のその他は、動くものがあるか否かなどの項目を備えている。
【００４７】
分析内容は、例えば、大項目の背景について中項目の色を分析した内容である白色などを、ユーザの肖像を含む画像の分析を行うごとにそれぞれの項目について記憶する。判別度は、例えば、ユーザの肖像を含む画像を分析項目に基づいて分析した内容についての確からしさをパーセント値で表し、ユーザの肖像を含む画像の分析を行うごとにそれぞれの項目について記憶する。
【００４８】
図５は、本実施形態に係る分析抽出条件テーブルを示す図である。特徴取得部１２及びキーワード抽出部１３が、ユーザの肖像を含む画像を分析して画像の特徴を捉え、捉えた画像の特徴に基づいてキーワードを抽出する際に用いるテーブルである。分析抽出条件テーブルは、画像を分析する場合の条件として、分析の精密度、最大分析時間などを備えている。また、キーワードを抽出する場合の条件として、最低判別度などを備えている。
【００４９】
分析の精密度は、分析の精密さの程度を表している。例えば、詳細、標準及び概略が設けられている。最大分析時間は、ユーザの肖像を含む画像の特徴を分析する最大の時間を表している。例えば、分析に要する最大秒数が設けられ、ユーザの肖像を含む画像の特徴を分析する時間がこの最大分析時間を越えるとその時間までの分析結果をユーザの肖像を含む画像の特徴として捉える。また、最低判別度は、キーワードを抽出する際に拠り所となる画像の特徴の判別度の最低値を表している。例えば、値が５０の場合は、キーワードを抽出する際に、判別度が５０％以上である項目を、ユーザの肖像を含む画像の特徴を示すキーワードを抽出する際の拠り所とする。
【００５０】
図６は、本実施形態に係る抽出キーワード格納テーブルを示す図である。キーワード抽出部１３が、抽出したキーワードを記憶している。キーワードは、例えば、第１キーワードから第５キーワードまで、優先する順番に設けているが、キーワードの数は、ユーザの肖像を含む画像により可変である。キーワード抽出部１３は、前回のキーワードを記憶しておき、今回抽出したキーワードと比較することにより今回のキーワードの順位を変更するとしてもよい。例えば、前回の第１キーワードが花、今回の第１キーワードが花、第２キーワードが紫色である場合に、第１キーワードが同じである上に、新しく第２キーワードが追加されているので、第２キーワードを第１キーワードとしてもよい。ユーザの肖像を含む画像の変化を画像の特徴とすることができる。
【００５１】
図７及び図８は、本実施形態に係る広告配信装置１０の処理内容を示すフローチャートである。なお、本処理は、例えば、プログラム開始指令を受付けて開始し、プログラム終了指令を受付けて終了する。
【００５２】
ＣＰＵ１０１０は、ステップＳ１０１において、メインメモリなどの初期化処理を行う。より具体的には、ＣＰＵ１０１０は、ハードディスク１０７０に設定されている値（例えば、分析抽出条件テーブルの分析度について標準が設定されている場合など）に基づいて、ワークエリアなどの初期化を行う。その後、ＣＰＵ１０１０は、処理をステップＳ１０２に移す。
ステップＳ１０２において、ＣＰＵ１０１０は、ユーザの肖像を含む画像データを受信したか否かを判断する。この判断がＹＥＳの場合は、処理を図８のステップＳ１０９に移し、ＮＯの場合は処理をステップＳ１０３に移す。
ステップＳ１０３において、ＣＰＵ１０１０は、ユーザによって広告の選択がされたことを示すデータか否かを判断する。より具体的には、例えば、後述する図９（１）において、ＣＰＵ１０１０は、相手に関する広告を表示する広告表示欄１０３ａの中から、例えば、紫の花の広告がユーザによって選択された場合であるか否かを判断する。この判断がＹＥＳの場合は、処理をステップＳ１０６に移し、ＮＯの場合は処理をステップＳ１０４に移す。
ステップＳ１０４において、ＣＰＵ１０１０は、ユーザによって広告転送指示の操作がされたことを示すデータか否かを判断する。より具体的には、例えば、後述する図１０（１）において、ＣＰＵ１０１０は、送信ボタン１０６ａが押下された場合であるか否かを判断する。この判断がＹＥＳの場合は、処理をステップＳ１０７に移し、ＮＯの場合は処理をステップＳ１０５に移す。
ステップＳ１０５において、ＣＰＵ１０１０は、ユーザによって広告共有指示の操作がされたことを示すデータか否かを判断する。より具体的には、例えば、後述する図１０（１）において、ＣＰＵ１０１０は、共有ボタン１０７ａが押下された場合であるか否かを判断する。この判断がＹＥＳの場合は、処理をステップＳ１０８に移し、ＮＯの場合は処理をステップＳ１０２に移す。
【００５３】
ステップＳ１０６において、ＣＰＵ１０１０は、ユーザの端末６０ａ、６０ｂでの操作により選択された広告を、操作されたユーザの端末６０ａ、６０ｂに送信し、処理をステップＳ１０２に移す。より具体的には、例えば、後述する図９（１）において、広告表示欄１０３ａの中から、例えば、紫の花の広告がユーザによって選択された場合には、ＣＰＵ１０１０は、選択された、タイトルが「紫の花の広告」である「りんどうの花の広告」をユーザの端末６０ａに送信する。ユーザの端末６０ａのポップアップ表示欄１０５ａに「りんどうの花の広告」が表示される。
【００５４】
ステップＳ１０７において、ＣＰＵ１０１０は、ユーザの端末６０ａ、又はユーザの端末６０ｂでの操作により選択した広告を、操作により指示した他のユーザの端末６０ｂ、又はユーザの端末６０ａに送信し、処理をステップＳ１０２に移す。より具体的には、後述する図１０（１）において、送信ボタン１０６ａが押下された場合には、ＣＰＵ１０１０は、選択されているタイトルが「紫の花の広告」である「りんどうの花の広告」を他のユーザの端末６０ｂに送信する。他のユーザの端末６０ｂの相手データ表示欄１０４ｂに「りんどうの花の広告」が表示される。
【００５５】
ステップＳ１０８において、ＣＰＵ１０１０は、ユーザの端末６０ａ、６０ｂでの操作により選択した広告をコミュニケーション中の他のユーザの端末（例えば、３台でコミュニケーション中の場合は操作を受付けたユーザの端末を除く２台）に送信し、処理をステップＳ１０２に移す。より具体的には、後述する図１０（１）において、共有ボタン１０７ａが押下された場合には、ＣＰＵ１０１０は、選択されているタイトルが「紫の花の広告」である「りんどうの花の広告」を他のユーザの端末６０ｂ及び他のコミュニケーション中のユーザの端末に送信する。例えば、他のユーザの端末６０ｂの相手データ表示欄１０４ｂに「りんどうの花の広告」が表示される。
【００５６】
図８のステップＳ１０９において、ＣＰＵ１０１０は、受信した一方のユーザの肖像を含む画像から特徴を捉える。より具体的には、ＣＰＵ１０１０は、一方のユーザの肖像を含む画像データを、特徴分析テーブル（図４）の分析項目に基づいて分析し、分析した内容とその分析した内容の判別度とを、特徴分析テーブルの分析内容と判別度とに記憶する。その後、ＣＰＵ１０１０は、処理をステップＳ１１０に移す。
【００５７】
ステップＳ１１０において、ＣＰＵ１０１０は、一方のユーザの肖像を含む画像から捉えた特徴に基づいてキーワードを抽出する。より具体的には、ＣＰＵ１０１０は、分析抽出条件テーブル（図５）の条件（例えば、分析度が標準、最大分析時間が１５秒、最低判別度が５０％以上）の下に、特徴分析テーブルの分析内容と判別度との中からキーワードを抽出する。ＣＰＵ１０１０は、例えば、特徴分析テーブルに記憶した判別度の中から判別度が５０％以上である（図５参照）、白色（６０％）、紫色（７０％）、花（８０％）を抽出し、更に判別度により順位付けて、第１キーワードを花、第２キーワードを紫色、第３キーワードを白色として抽出キーワード格納テーブルに記憶する。その後、ＣＰＵ１０１０は、処理をステップＳ１１１に移す。
【００５８】
ステップＳ１１１において、ＣＰＵ１０１０は、取得したキーワードが前回と同じか否かを判断する。より具体的には、ＣＰＵ１０１０は、記憶している前回の抽出キーワード格納テーブルのキーワードと今回の抽出キーワード格納テーブルのキーワードとを比較し、同じか否かを判断する。この判断がＹＥＳの場合は、前回と画像が変わらないと判断し、処理を図７のステップＳ１０２に移し、ＮＯの場合は処理をステップＳ１１２に移す。
【００５９】
ステップＳ１１２において、ＣＰＵ１０１０は、今回の抽出キーワード格納テーブルに記憶している抽出したキーワードに基づいて、広告サーバ４０に問合せ、広告サーバ４０から広告を取得する。より具体的には、ＣＰＵ１０１０は、広告サーバ４０との間で予め定められているユーザインターフェースに従い、抽出キーワード格納テーブルに格納されている順を優先順位とするキーワードを広告サーバ４０に送信する。なお、抽出キーワード格納テーブルに格納されている順を、前回と異なるキーワードを優先するように優先順位を入れ替えてもよい。こうすることにより、画像の変化に対応した優先順位とすることができる。広告サーバ４０は、受信したキーワードの優先順位に基づいて、キーワードに関連する広告を送信する。ＣＰＵ１０１０は、広告サーバ４０が、送信した広告を受信する。その後、ＣＰＵ１０１０は、処理をステップＳ１１３に移す。
【００６０】
ステップＳ１１３において、ＣＰＵ１０１０は、受信した広告及び一方のユーザの肖像を含む画像を他方のユーザの端末６０ａ、６０ｂに送信し、処理を図７のステップＳ１０２に移す。
【００６１】
図９は、本実施形態に係るユーザの端末６０ａ、６０ｂの表示例を示す図である。図９（１）は、一方のユーザの端末として自己の端末６０ａの表示例であり、図９（２）は、他方のユーザの端末として相手の端末６０ｂの表示例である。
【００６２】
図９（１）は、自己の端末６０ａが、表示装置６１ａの自己を表示する自己表示欄１０２ａに、自己の肖像を含む画像を表示し、表示装置６１ａの相手を表示する相手表示欄１０１ａに、広告配信装置１０を介して相手から送信された相手の肖像を含む画像を表示していることを示している。そして、図９（１）は、広告配信装置１０が、相手の肖像を含む画像から抽出したキーワードに基づいて広告サーバから取得した広告のタイトルを自己の端末６０ａに送信し、自己の端末６０ａが、表示装置６１ａの広告表示欄１０３ａに、表示していることを示している。この例において、広告配信装置１０は、相手が送信した肖像を含む画像から、例えば、背景について、色：白色、前景の人は、髪：長い、顔：澄ましている、服：紫色、付属：花などの特徴を捉え、キーワードとして、花、紫色を抽出している。その結果、図９（１）は、自己の端末６０ａが、表示装置６１ａの広告表示欄１０３ａに、広告配信装置１０から受信した相手に関する広告として、「紫色の花の広告」、「花の広告」などの広告のタイトルを表示していることを示している。
【００６３】
図９（２）は、相手側の端末６０ｂが、表示装置６１ｂの相手表示欄１０１ｂに、広告配信装置１０を介して自己から送信した自己の肖像を含む画像を表示し、表示装置６１ｂの自己表示欄１０２ｂに相手自身の肖像を含む画像を表示していることを示している。そして、図９（２）は、広告配信装置１０が、自己から送信した自己の肖像を含む画像から抽出したキーワードに基づいて広告サーバから取得した広告のタイトルを、表示装置６１ｂの広告表示欄１０３ｂに表示していることを示している。この例において、広告配信装置１０は、自己が送信した肖像を含む画像から、例えば、背景について、色：緑色、前景の人は、髪：短い、顔：笑っている、服：黄色、付属：なし、キーワードとして、服、黄色、スポーツを抽出している。その結果、図９（２）は、相手の端末６０ｂが、表示装置６１ｂの広告表示欄１０３ｂに、広告配信装置１０から受信した自己に関する広告として、「黄色の服の広告」、「スポーツの広告」などの広告のタイトルを表示していることを示している。
【００６４】
図１０は、本実施形態に係るユーザの端末６０ａ、６０ｂの表示例を示す図である。図１０（１）は、図９（１）に続く自己の端末６０ａの表示例であり、図１０（２）は、図９（２）に続く相手の端末６０ｂの表示例である。
【００６５】
図１０（１）は、自己の端末６０ａが、表示装置６１ａの相手表示欄１０１ａに、広告配信装置１０を介して相手から送信された相手の肖像を含む画像を表示し、自己表示欄１０２ａに自己の肖像を含む画像を表示していることを示している。そして、図１０（１）は、広告配信装置１０が、相手の肖像を含む画像から抽出したキーワードに基づいて広告サーバから取得した広告のタイトルを自己の端末６０ａに送信し、自己の端末６０ａが、広告表示欄１０３ａに広告のタイトルを表示し、広告表示欄１０３ａから自己によって選択された相手に関する広告を、ポップアップ表示欄１０５ａに表示していることを示している。この状態で、自己は、ポップアップ表示欄１０５ａに表示している広告を相手側に送信するために送信ボタン１０６ａを押すことができる。更に、図１０（１）は、自己の端末６０ａが、相手から広告配信装置１０を介して送信されたデータを表示する相手データ表示欄１０４ａに、相手が表示装置６１ｂの広告表示欄１０３ｂで選択し送信した広告の内容（服、○○○会社）を表示していることを示している。
【００６６】
図１０（２）は、相手の端末６０ｂが、表示装置６１ｂの相手表示欄１０１ｂに、広告配信装置１０を介して自己から送信した自己の肖像を含む画像を表示し、表示装置６１ｂの自己表示欄１０２ｂに相手自身の肖像を含む画像を表示していることを示している。そして、図１０（２）は、広告配信装置１０が、自己から送信した自己の肖像を含む画像から抽出したキーワードに基づいて広告サーバから取得した広告のタイトルを、相手の端末６０ｂが、広告表示欄１０３ｂに表示し、広告表示欄１０３ｂから相手によって選択された自己に関する広告を、ポップアップ表示欄１０５ｂに表示していることを示している。この状態で、相手は、ポップアップ表示欄１０５ｂに表示している広告を送信するために送信ボタン１０６ｂを押すことができる。更に、図１０（２）は、相手の端末６０ｂが、相手データ表示欄１０４ｂに、自己が表示装置６１ａの広告表示欄１０３ａで選択し送信した広告の内容（りんどうの花、△△△会社）を表示していることを示している。
【００６７】
本実施例によれば、広告配信装置１０は、コンピュータネットワーク７０を介して、互いに遠隔地にある複数のユーザの端末６０ａ、６０ｂのうち一方のユーザの端末６０ａが取得した一方のユーザの肖像を含む画像を受信し、受信した一方のユーザの肖像を含む画像を分析して画像の特徴を捉え、捉えた画像の特徴に基づいてキーワードを抽出し、抽出したキーワードに基づいて広告に関するデータを取得する。そして、広告配信装置１０は、一方のユーザの端末６０ａが取得した一方のユーザの肖像を含む画像及び取得した広告に関するデータを、他方のユーザの端末６０ｂに、コンピュータネットワーク７０を介して送信する。よって、広告配信装置１０は、一方のユーザの端末６０ａが取得した一方のユーザの肖像を含む画像に基づいた広告を他方のユーザの端末６０ｂに送信することができる。そして、広告配信装置１０は、他方のユーザの端末６０ｂのユーザによる所定の操作を受付けたことを示すデータを受信したことに応じて、一方のユーザの端末６０ａに、広告に関するデータを送信する。すなわち、広告配信装置１０は、互いに遠隔地にいる複数のユーザ間でコンピュータネットワーク７０を介して行われるリアルタイムなコミュニケーション中に、一方のユーザの端末６０ａが取得した一方のユーザの肖像を含む画像に関する広告を他方のユーザの端末６０ｂに送信し、加えて、他方のユーザの端末６０ｂのユーザが、表示された広告に関して所定の操作を行ったことに応じて、広告を一方のユーザの端末６０ａにも送信する。よって、ユーザは、広告の品をコミュニケーションの相手へのプレゼントとしたり、広告を話題の展開に役立てたりすることができる。また、他方のユーザが興味を持った広告を一方のユーザも閲覧することが可能となり、両者のコミュニケーションを更に盛り上げることができる。したがって、広告がタイムリーに利用され、広告配信装置１０は、互いに遠隔地にいる複数のユーザ間でコンピュータネットワーク７０を通じて行われるリアルタイムなコミュニケーションを利用して効率のよい広告を行うことができる。また、関心のある広告が互いに伝えられるという効率のよい広告を行うことができる。更に、タイミングの合った広告を配信することができるので、会話をアシストすることができ、コミュニケーションの展開にも役立ち、コミュニケーションの増加に繋がるので、更に広告を配信する機会の増加にも繋がる。
【００６８】
［実施例２］
以下、本発明の実施例２について図を参照しながら説明する。実施例２において、サーバとしての広告配信装置１０は、実施例１に加えて、ユーザの端末６０ａ、６０ｂにおいて入力されたテキストメッセージを受信し、広告に挿入して送信する。
【００６９】
図１１は、本実施形態に係るユーザの端末６０ａ、６０ｂの表示例を示す図である。図１１（１）は、図９（１）に続く自己の端末６０ａの表示例であり、図１１（２）は、図９（２）に続く相手の端末６０ｂの表示例である。広告を表示するとともに、相手が送信したメッセージを表示する例である。
【００７０】
図１１（１）は、自己の端末６０ａが、表示装置６１ａの相手表示欄１０１ａに、広告配信装置１０を介して相手から送信された相手の肖像を含む画像を表示し、自己表示欄１０２ａに自己の肖像を含む画像を表示していることを示している。そして、図１１（１）は、広告配信装置１０が、相手の肖像を含む画像から抽出したキーワードに基づいて広告サーバから取得した広告のタイトルを、自己の端末６０ａに送信し、自己の端末６０ａが、広告表示欄１０３ａに表示し、広告表示欄１０３ａから自己によって選択された相手に関する広告を、ポップアップ表示欄１０５ａに表示していることを示している。この状態で、自己は、ポップアップ表示欄１０５ａに表示している広告を相手側に送信するために送信ボタン１０６ａを押すことができる。更に、図１１（１）は、自己の端末６０ａが、表示装置６１ａの相手データ表示欄１０４ａに、相手が広告表示欄１０３ｂで選択し送信した広告の内容（服、○○○会社）を、相手が送信したメッセージ（このようなゴルフウェアはいかがですか。）とともに表示していることを示している。
【００７１】
図１１（２）は、相手の端末６０ｂが表示装置６１ｂの相手表示欄１０１ｂに自己から送信した自己の肖像を含む画像を表示し、表示装置６１ｂの自己表示欄１０２ｂに相手自身の肖像を含む画像を表示していることを示している。そして、図１１（２）は、広告配信装置１０が、自己から送信した自己の肖像を含む画像から抽出したキーワードに基づいて広告サーバから取得した広告のタイトルを相手の端末６０ｂに送信し、相手の端末６０ｂが、広告表示欄１０３ｂに表示し、広告表示欄１０３ｂから相手が選択した自己に関する広告を、ポップアップ表示欄１０５ｂに表示していることを示している。この状態で、相手は、ポップアップ表示欄１０５ｂに表示している広告を送信するために送信ボタン１０６ｂを押すことができる。更に、図１１（２）は、相手の端末６０ｂが、相手データ表示欄１０４ｂに、自己が表示装置６１ａの広告表示欄１０３ａで選択し送信した広告の内容（りんどうの花、△△△会社）を、自己が送信したメッセージ（りんどうが似合っていると思いますが。）とともに表示していることを示している。
【００７２】
本実施例によれば、互いに遠隔地にある複数のユーザの端末６０ａ、６０ｂ間でコンピュータネットワーク７０を介して行われるリアルタイムなコミュニケーション中に、広告配信装置１０は、一方のユーザの端末６０ａが取得した一方のユーザの肖像を含む画像に関する広告を他方のユーザの端末６０ｂに送信する。それに加えて、広告配信装置１０は、他方のユーザの端末６０ｂが、表示された広告に関してテキストメッセージの入力の操作を行ったことに応じて、テキストメッセージのデータを挿入した広告を一方のユーザの端末６０ａにも送信する。すなわち、リアルタイムなコミュニケーション中に、広告配信装置１０は、一方のユーザの端末６０ａが取得した一方のユーザの肖像を含む画像に関する広告を他方のユーザの端末６０ｂに送信することに加えて、他方のユーザの端末６０ｂが、表示された広告に関してテキストメッセージの入力の操作を行ったことに応じて、テキストメッセージのデータを挿入した広告を一方のユーザの端末６０ａにも送信する。よって、メッセージを伴って、広告がタイムリーに利用される。したがって、広告配信装置１０は、互いに遠隔地にいる複数のユーザ間でコンピュータネットワーク７０を通じて行われるリアルタイムなコミュニケーションを利用して効率のよい広告を行うことができる。
【００７３】
実施例では、自己と相手との２人の実施例として説明したが、本実施例の構成によれば、３人以上であっても同様に、相手の肖像を含む画像から抽出したキーワードに基づいて互いに広告を取得することができる。
【００７４】
実施例では、相手の肖像を含む画像からキーワードを抽出し、抽出したキーワードに基づいて広告を取得するとしたが、相手の肖像を含む画像から自己が気付いたキーワードを入力し、抽出したキーワードに加えたキーワードに基づいて広告を取得することもできる。このことにより、互いに遠隔地にいる複数のユーザ間でコンピュータネットワーク７０を通じて行われるリアルタイムなコミュニケーションを利用して、更に効率のよい広告を行うことができる。
【００７５】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００７６】
【図１】本発明の実施例１に係る広告配信装置の構成を示す図である。
【図２】本発明の実施例１に係る広告配信装置の動作環境を示す図である。
【図３】本発明の実施例１に係る広告配信装置のハードウェア構成の一例を示す図である。
【図４】本発明の実施例１に係る特徴分析テーブルを示す図である。
【図５】本発明の実施例１に係る分析抽出条件テーブルを示す図である。
【図６】本発明の実施例１に係る抽出キーワード格納テーブルを示す図である。
【図７】本発明の実施例１に係る広告配信装置の処理内容を示すフローチャートである。
【図８】図７に続くフローチャートである。
【図９】本発明の実施例１に係るユーザの端末の表示例を示す図である（広告抽出後）。
【図１０】本発明の実施例１に係るユーザの端末の表示例を示す図である（広告選択後）。
【図１１】本発明の実施例２に係るユーザの端末の表示例を示す図である（広告送信後）。
【符号の説明】
【００７７】
１０    広告配信装置
１１    画像受信部
１２    特徴取得部
１３    キーワード抽出部
１４    広告取得部
１５    広告送信部
１０１０    ＣＰＵ
【図１】
0004889672.tif 000002
【図２】
0004889672.tif 000003
【図３】
0004889672.tif 000004
【図４】
0004889672.tif 000005
【図５】
0004889672.tif 000006
【図６】
0004889672.tif 000007
【図７】
0004889672.tif 000008
【図８】
0004889672.tif 000009
【図９】
0004889672.tif 000010
【図１０】
0004889672.tif 000011
【図１１】
0004889672.tif 000012